(57)【要約】【課題】予めベッドや布団に開いた状態で衣服を敷き、その上に背中を乗せて仰臥位で着衣させる際に、容易に短時間に精神的なストレスなしに被介護者の腕を両袖に通して着衣可能な介護用上着と介護用ワンピースを提供する。【解決手段】両手それぞれの長袖２の袖口１３からそれぞれの前身頃４の下端部５まで設けられた開閉ライン６と、それぞれの開閉ライン６に係止され長袖２の袖口１３から前身頃４の下端部５の方向へスライドすることで長袖２の袖口１３から前身頃４の下端部５までの間を開かせるスライダー７と、を備え、前身頃４の中央部は襟口３から下端部５まで開閉可能に構成され、開閉ライン６は前身頃４の下端部５で閉固定されて下端部５自体は開けない介護用上着１である。【選択図】図１
2020007664.tif 000002
【特許請求の範囲】
【請求項１】
被介護者が着用する長袖の介護用上着であって、
両手それぞれの前記長袖の袖口からそれぞれの前身頃の下端部まで設けられた開閉ラインと、それぞれの前記開閉ラインに係止され前記長袖の袖口から前記前身頃の下端部の方向へスライドすることで前記長袖の袖口から前記前身頃の下端部までの間を開かせるスライダーと、を備え、
前記前身頃の中央部は襟口から下端部まで開閉可能に構成され、前記開閉ラインは前記前身頃の下端部で閉固定されて下端部自体は開けないことを特徴とする介護用上着。
【請求項２】
被介護者が着用する長袖の介護用ワンピースであって、
両手それぞれの前記長袖の袖口から、それぞれの前身頃の上端から袖の長さ分下がった位置まで設けられた開閉ラインと、それぞれの前記開閉ラインに係止され前記長袖の袖口から前記前身頃の上端から袖の長さ分下がった位置の方向へスライドすることで前記長袖の袖口から前記前身頃の上端から袖の長さ分下がった位置までの間を開かせるスライダーと、を備え、
前記前身頃の中央部は襟口から下端部まで開閉可能に構成され、前記開閉ラインは前記前身頃の上端から袖の長さ分下がった位置で閉固定されることを特徴とする介護用ワンピース。
【請求項３】
前記長袖は、袖丈又は袖口幅を調整可能な留め具を備えることを特徴とする請求項１記載の介護用上着。
【請求項４】
前記長袖は、袖丈又は袖口幅を調整可能な留め具を備えることを特徴とする請求項２記載の介護用ワンピース。
【発明の詳細な説明】
【技術分野】
【０００１】
本発明は、被介護者が着用する介護用衣服に係り、特に、被介護者が横になったままでも介護者が容易に着脱させることができる介護用衣服に関する。
【背景技術】
【０００２】
従来、高齢や病気の後遺症などを原因とする要介護者は、片麻痺や筋肉固縮が生じていることも多くあって、衣服の着替えや脱衣後のおむつの交換などが容易ではなく、介護者にとって長時間にわたる力仕事となってしまい、負担が大きいという課題があった。
そこで、介護者の負担を軽減する衣服に関する発明が多くなされるようになり、例えば、特許文献１には「介護パジャマ」という名称で、介護パジャマの上衣とズボンに関する発明であって、そのうち上衣は、前開きとし前身頃の左右少なくともいずれか一方の所定幅で下から胸部所定点のところまでオープンファスナーを使用し開閉自在とすると共に、袖口からも胸部所定点又はその近傍のところまで、オープンファスナーを使用し開閉自在にした構造のものが開示されている。
この特許文献１に開示される発明では、介護パジャマの上衣を前開きとし、前身頃の左右少なくともいずれか一方の所定幅で、下から胸部所定点のところまでオープンファスナーを使用し、開閉自在にしたことにより、寝たきりの人が起き上がることなく横臥位の状態で、左右に体を動かすことにより着脱を容易にすることが可能である。
【０００３】
また、特許文献２には、「介護用衣服」という名称で、袖の袖下における全長及び身頃の脇下における全長に亘るラインを、そのラインの両側の布に相対的に取り付けられた嵌脱自在の雄スナップと雌スナップとにより開閉可能に構成し、ラインを開いたときに袖前面及び前身頃を袖後面及び後身頃に対して展開可能とし、被介護者への着脱が容易で、介護の手間を低減することができる発明が開示されている。
【０００４】
さらに、特許文献３では、「肢体不自由者又は被介護者用の上着」という名称で、長袖で、首元が胸部分まで開閉可能であり、着脱時に被介護者の頭を通しやすくなっている。また、身ごろの側腹部から袖口にかけて開閉部を有し、着脱時に開閉部を大きく開くことによって手が袖を通過することを容易にする考案が開示されている。
【０００５】
特許文献４では、「介護用衣類」という名称で、上着の左右脇側下端から袖口および／あるいは首回りから袖口までを連続する開閉ラインを設け、この開閉ラインに一対のスライダーを備えたダブルファスナーを取り付けて、上記スライダーを両端から中央側へと引くことにより開閉ラインを開けて、介護される人には着心地が良く、介護する人には衣類の脱着が負担にならずに手助け出来る介護用衣服が開示されている。
【先行技術文献】
【特許文献】
【０００６】
【特許文献１】特開２００６−２００１０５号公報
【特許文献２】特開２００１−２２６８０７号公報
【特許文献３】登録実用新案第３１９２１４３号公報
【特許文献４】登録実用新案第３０６４５９５号公報
【発明の概要】
【発明が解決しようとする課題】
【０００７】
しかしながら、特許文献２，３に開示される発明や考案ではいずれも首回りから前身頃の下端までの間で完全に開かれる状態となる構造ではないため、片麻痺の高齢者や被介護者に衣服を着せる際に、予めベッドや布団に開いた状態で衣服を敷き、その上に背中を乗せて仰臥位で着衣させることができないという課題があった。首回りなどが閉じた状態では、必ずその閉じた状態の衣服の孔に被介護者の身体を挿入する必要があり、被介護者の抵抗を受けたり、身体が挿入し辛かったりすることで、介護者にとって肉体的にも精神的にも負担となってしまうという課題があった。
【０００８】
一方、特許文献１に開示される発明では、首回りから前身頃の下端までの間でボタンを外すことで完全に開くシャツ様の構造に、前身頃の下端から袖口まで連続する開閉ラインが設けられており、袖口と前身頃の下端が開く構造が付加されているため、予めベッドや布団に開いた状態で衣服を敷き、その上に背中を乗せて仰臥位で着衣させようとすると、ボタンと開閉ラインを閉じる必要があり、特に開閉ラインのファスナーはその下端で嵌め留め難く、時間もかかり、被介護者が動いてしまうような状態では精神的な負担が大きくなってしまう。
さらに、特許文献４に開示される考案においても、首回りから前身頃の下端までの間でボタンを外すことで完全に開くシャツ様の構造に、脇側の下端から袖口まで連続する開閉ラインが設けられており、脇側の下端と袖口の端部を起点としてそれぞれファスナーのスライダーを移動させながら開閉ラインを開くが、脇側の下端と袖口のいずれもファスナーが分離するので、脇側の下端でファスナーのスライダーを嵌め留める必要があり、その作業に時間がかかり、被介護者が動いてしないような状態では精神的な負担が大きくなってしまうという課題があった。
【０００９】
本発明はかかる従来の事情に対処してなされたものであり、予めベッドや布団に開いた状態で衣服を敷き、その上に背中を乗せて仰臥位で着衣させる際に、容易に短時間に精神的なストレスなしに被介護者の腕を両袖に通して着衣可能な介護用上着と介護用ワンピースを提供することを目的とする。
【課題を解決するための手段】
【００１０】
上記目的を達成するため、第１の発明である介護用上着は、被介護者が着用する長袖の介護用上着であって、両手それぞれの前記長袖の袖口からそれぞれの前身頃の下端部まで設けられた開閉ラインと、それぞれの前記開閉ラインに係止され前記長袖の袖口から前記前身頃の下端部の方向へスライドすることで前記長袖の袖口から前記前身頃の下端部までの間を開かせるスライダーと、を備え、前記前身頃の中央部は襟口から下端部まで開閉可能に構成され、前記開閉ラインは前記前身頃の下端部で閉固定されて下端部自体は開けないことを特徴とするものである。
上記構成の介護用上着では、前身頃の中央部が襟口から下端部まで開いて広げるように作用し、開閉ラインは前身頃の下端部で閉固定されており、開閉ラインの延長上の前身頃の下端部自体は開かず、分離しないように作用している。一方、その前身頃の下端部から袖口までの開閉ラインは、スライダーの動きの作用によって袖口から前身頃の下端部まで開くように作用する。
【００１１】
また、第２の発明である介護用ワンピースは、被介護者が着用する長袖の介護用ワンピースであって、両手それぞれの前記長袖の袖口から、それぞれの前身頃の上端から袖の長さ分下がった位置まで設けられた開閉ラインと、それぞれの前記開閉ラインに係止され前記長袖の袖口から前記前身頃の上端から袖の長さ分下がった位置の方向へスライドすることで前記長袖の袖口から前記前身頃の上端から袖の長さ分下がった位置までの間を開かせるスライダーと、を備え、前記前身頃の中央部は襟口から下端部まで開閉可能に構成され、前記開閉ラインは前記前身頃の上端から袖の長さ分下がった位置で閉固定されることを特徴とするものである。
上記構成の介護用ワンピースでは、第１の発明と同様に作用するが、第２の発明である介護用ワンピースは、第１の発明の介護用上着に比較して丈が長く、開閉ラインは長袖の袖口から、前身頃の上端から袖の長さ分下がった位置まで設けられているので、その位置までで開閉ラインやスライダーは作用する。なお、前身頃の中央部は第１の発明と同様に襟口から下端部まで開いて広げるように作用する。
【００１２】
また、第３の発明である介護用上着は、第１の発明において、前記長袖は、袖丈又は袖口幅を調整可能な留め具を備えることを特徴とするものである。
上記構成の介護用上着では、第１の発明の作用に加えて、留め具が長袖の丈又は袖口の幅を調整するように作用する。
【００１３】
そして、第４の発明である介護用ワンピースは、第３の発明において、前記長袖は、袖丈又は袖口幅を調整可能な留め具を備えることを特徴とするものである。
上記構成の介護用ワンピースでは、第３の発明の作用に加えて、留め具が長袖の丈又は袖口の幅を調整するように作用する。
【発明の効果】
【００１４】
本発明の第１の発明である介護用上着では、前身頃の中央部が襟口から下端部まで開くので、その状態で予めベッドや布団、マット上に敷くことができ、その上に被介護者の背中を乗せるようにして仰臥位という楽な姿勢を保持してもらうことができる。
また、開閉ラインを袖口から前身頃の下端部まで開くことで、被介護者の腕の動作領域をカバーする範囲で介護用上着に大きな袖孔を開くことが可能であり、被介護者は容易に腕を広げるようにして通すことが可能である。
しかしながら、大きく開いた開閉ラインは前身頃の下端部では分離していないので、スライダーを嵌め留める必要がなく、被介護者の動きや抵抗に対しても容易かつ迅速にスライダーを袖口まで進めて開閉ラインを閉じることが可能である。
【００１５】
本発明の第２の発明である介護用ワンピースでも、前身頃の中央部が襟口から下端部まで開くので、その状態で予めベッドや布団、マット上に敷くことができ、その上に被介護者の背中を乗せるようにして仰臥位という楽な姿勢を保持してもらうことができるし、開閉ラインは両手それぞれの前記長袖の袖口からそれぞれの前身頃の下端部まで設けられているので、第１の発明と同様に被介護者の腕の動作領域をカバーする範囲で介護用上着に大きな袖孔を開くことが可能であり、被介護者は容易に腕を広げるようにして通すことが可能である。
そして、大きく開いた開閉ラインは前身頃の上端から袖の長さ分下がった位置までの間までしか形成されておらず、前身頃の下端部では分離していないので、第１の発明と同様にスライダーを嵌め留める必要がなく、被介護者の動きや抵抗に対しても容易かつ迅速にスライダーを袖口まで進めて開閉ラインを閉じることが可能である。
【００１６】
本発明の第３の発明である介護用上着では、第１の発明の効果に加えて、留め具によって長袖の袖丈又は袖口の幅を自在に調整することが可能である。
【００１７】
本発明の第４の発明である介護用ワンピースでは、第２の発明の効果に加えて、留め具によって長袖の袖丈又は袖口の幅を自在に調整することが可能である。
【図面の簡単な説明】
【００１８】
【図１】本発明の第１の実施の形態に係る介護用上着の外形図である。
【図２】本発明の第１の実施の形態に係る介護用上着の開閉ファスナーを開いている状態を示す概念図である。
【図３】本発明の第１の実施の形態に係る介護用上着の袖口の状態を示す概念図である。
【図４】（ａ）は本発明の第１の実施の形態に係る介護用上着の袖を捲り上げて孔フックをボタンに掛けて留めている状態を示す概念図であり、（ｂ）は同じく第１の実施の形態に係る介護用上着の袖口も細めて孔フックをボタンに掛けて留めている状態を示す概念図である。
【図５】本発明の第２の実施の形態に係る介護用ワンピースの外形図である。
【図６】本発明の第１の実施の形態に係る介護用上着を被介護者に着せる途中経過を示す概念図である。
【図７】本発明の第１の実施の形態に係る介護用上着を被介護者に着せる途中経過を示す概念図である。
【図８】本発明の第１の実施の形態に係る介護用上着を被介護者に着せる途中経過を示す概念図である。
【図９】本発明の第１の実施の形態に係る介護用上着を被介護者に着せた状態を示す概念図である。
【発明を実施するための形態】
【００１９】
以下に、本発明の第１の実施の形態に係る介護用上着について図１乃至図４を参照しながら説明する。
図１は本発明の第１の実施の形態に係る介護用上着の外形図であり、図２は本発明の第１の実施の形態に係る介護用上着の開閉ファスナーを開いている状態を示す概念図である。また、図３は介護用上着の袖口の状態を示す概念図であり、図４（ａ）は介護用上着の袖を捲り上げて孔フックをボタンに掛けて留めている状態を示し、（ｂ）は袖を捲り上げた状態でさらに介護用上着の袖口を細めて孔フックをボタンに掛けて留めた状態を示している。
図１，２において、介護用上着１は、長袖２の上着であり、前身頃４の中央部は、襟口３から下端部５までボタン８留めでき、すべてのボタン８を外すと前身頃４を完全に開く、すなわち下端部５を左右に分離させることが可能である。
また、前身頃４には左右とも長袖２の袖口１３から下端部５まで連続して開閉ファスナー６が設けられており、スライダー７を移動させることで開閉することが可能である。ただし、図２，３に示すとおり、開閉ファスナー６は、スライダー７を前身頃４側へ移動させることによって袖口１３を完全に開くことが可能であるが、下端部５では前身頃４を左右に開いて分離できないように閉固定されている。
【００２０】
介護用上着１の下端部５は、２つの重要な意味を備えている。
１点目は、介護用上着１の下端部５の位置は、長袖２を下した際の袖口１３の位置と略同一であり、すなわち、被介護者の腕の動作範囲の下端と略同一であるという点である。したがって、袖口１３から開閉ファスナー６を前身頃４の下端部５まで設けることで、長袖２の袖口１３から前身頃４の下端部５までが大きく開き、被介護者の腕を容易にその開いた袖孔１４に通すことが可能である。
袖孔１４に腕を通した後に、左右の前身頃４の下端部５に位置するスライダー７（図３参照）を袖口１３に向けて引き上げることで、前身頃４から袖口１３にかけて閉じ、被介護者の腕を長袖２に容易に通すことができる。
２点目は、介護用上着１の下端部５は衣服の端部であることから、ここで開閉ファスナー６が左右に分離してしまうと、スライダー７を開閉ファスナー６に嵌め留めなければならない。したがって、開閉ファスナー６はこの下端部５近傍まで設けられているものの、その延長上の下端部５自体は開かず、閉固定されるのである。開閉ファスナー６が開くように構成されると、袖孔１４のように孔は形成されないので、袖口１３から続く前身頃４と後身頃との間に被介護者の腕を挿入するが、その場合、被介護者の腕を挿入した後、分離した左右の開閉ファスナー６を前身頃４の下端部５で合わせた後、スライダー７を開閉ファスナー６に嵌め留めてから袖口１３に向けて引き上げる必要がある。
被介護者は高齢化や病気などで片麻痺があったり筋肉固縮が生じるなど障害がある場合もあり、また、介護自体を嫌って介護者が望むほどおとなしい態度や姿勢を維持できない場合も多い。そのような介護現場で前身頃４の下端部５の開閉ファスナー６にスライダー７を逐一嵌め留めることは介護者に精神的な負担を強いることも多く、また、時間も多くかかってしまう。
そこで、介護用上着１の下端部５近傍まで開閉ファスナー６は開くように構成されるものの、その延長としての下端部５自体は開いて左右に分離しないように閉固定されている。
【００２１】
次に、本実施の形態に係る介護用上着１の長袖２の構造について説明する。
図１，２に示されるとおり、長袖２には、長さ方向に沿って、袖口１３を捲った後の留め具として孔フック１１とボタン１２が１組以上備えられており、袖口１３には袖口１３の幅を絞るための留め具として孔フック９とボタン１０が設けられている。
孔フック１１とボタン１２は、図４（ａ）に示すとおり、気温の変化などに伴い、介護者が袖を捲り、長袖２の袖丈を調節した後、孔フック１１をボタン１２に掛けることで留めるものである。また、図４（ｂ）に示すとおり、袖口１３を細めるために孔フック９をボタン１０に掛けることができる。
さらに、図３に示すとおり、長袖２の袖口１３まで開閉ファスナー６が設けられており、この開閉ファスナー６はスライダー７を前身頃４側に移動させることで、袖口１３を完全に開くことが可能である。
このように袖口１３が完全に開かれることで、前身頃４の下端部５が閉じた状態と相俟って袖口１３から前身頃４の下端部５まで大きく開いた袖孔１４が形成されることになるのである。
【００２２】
次に、本発明の第２の実施の形態に係る介護用ワンピース１５について、図５を参照しながら説明する。図５は、本発明の第２の実施の形態に係る介護用ワンピースの外形図である。図５において図１に示される介護用上着１と同一の構成には同一の符号を付し、その構成の説明は省略する。
図５において、介護用ワンピース１５は介護用上着１よりも丈が長い点と、長袖２の袖口１３から前身頃４まで延びる開閉ファスナー６が、その下端部５までは設けられておらず、襟口３から下端部５までの略中間部となる袖到達領域１６まで設けられている点で異なる。
この袖到達領域１６とは、長袖２を折り曲げて下した際に、その袖口１３が前身頃４上でどこまで到達できるかという領域を示すもので、その破線がその領域の下端を示している。すなわち、この袖到達領域１６は被介護者２０の腕の動作領域を示すものでもあり、この部分で開閉ファスナー６を備えて袖口１３から開くことができれば、介護者が被介護者の腕を容易に図２で示す袖孔１４へ導くことが可能となる。
介護用ワンピース１５では、丈が長いので前身頃４の中央部に設けられているボタン８が多いが、中央部は介護用上着１と同様に完全に開くことが可能である。
また、介護用ワンピース１５の長袖２にも介護用上着１と同様に留め具として孔フック９，１１とボタン１０，１２が設けられている。
【００２３】
次に、第１の実施の形態に係る介護用上着１を被介護者に着せる手順を図６乃至図９を参照しながら説明しつつ、介護用上着１の作用や効果について説明する。
図６乃至図８は介護用上着を被介護者に着せる途中経過を示す概念図であり、図９は着せた状態を示す概念図である。図６乃至図９において、図１乃至図４で示した構成と同一の構成には同一の符号を付し、その構成の説明は省略する。
介護用上着１は前身頃４の中央部に襟口３から下端部５まで完全に開くことができる構成を備えているので、図６において、マット２１の上に、前身頃４の中央部のボタン８を外して襟口３から下端部５まで完全に開いた介護用上着１を乗せた後、マット２１上に添えられた枕２２と介護用上着１の上に、被介護者２０を横たわらせて仰臥位とした状態から介護用上着１を着せることが可能である。
介護用上着１は、予め両側の前身頃４において開閉ファスナー６を袖口１３から前身頃４の下端部５まで開くことで袖孔１４が形成されている。
【００２４】
次に、図７において、一方の袖孔１４に被介護者２０の腕２３を通す。腕２３の通し方は、図６の状態から袖孔１４に通す方の前身頃４を被介護者２０の胸の上に置くように上げるようにして袖孔１４を大きく開くようにする。袖孔１４は介護用上着１の長袖２の袖口１３から前身頃４の下端部５まで形成されているので、被介護者２０の腕２３の可動範囲をカバーするように作用し、介護者は容易に腕２３を袖孔１４に通すことができる。
【００２５】
図８において、一方の腕２３を袖孔１４に通すことができたら、今度はもう一方の腕２３をもう一方の袖孔１４に通す。この場合も前身頃４を被介護者２０の胸の上に被せるように置くことで大きく開いた袖孔１４に容易に腕２３を挿入することが可能である。
両方の腕２３を袖孔１４に通した後に、それぞれの前身頃４に設けられている開閉ファスナー６を、スライダー７を引き上げることで袖口１３まで閉じると、前身頃４から袖口１３までが閉じられるように作用し、結局、被介護者２０の袖通しが完了する。
もちろん、開閉ファスナー６のスライダー７の引き上げは片方の腕２３を通した後にそれぞれ行ってもよい。
その後に、襟口３から前身頃４の中央部に設けられているボタン８を留めることで被介護者２０着衣が完了する。
ボタン８留めは、最後でなくともよく、例えば、被介護者２０の腕２３を袖孔１４に通す前に、すなわち、仰臥位になった直後に前身頃４を両方共被介護者２０の胸の上に被せ、その際に行ってもよい。その場合の方が、両方の袖孔１４が開いている状態であることから前身頃４の移動の自由度が高く、被介護者２０の動きや抵抗があったとしても容易にボタン８留めすることができると考えられる。
【００２６】
図９は、スライダー７を前身頃４の下端部５から長袖２の袖口１３まで引き上げ、前身頃４の中央部において襟口３から下端部５までボタン８留めも完了し、すなわち、被介護者２０の着衣が完了した状態を示している。
【００２７】
介護用上着１では、前身頃４の中央部が襟口３から下端部５まで完全に開く構成を備えているので、その上に被介護者２０に横たわってもらうことから着衣を始めることができ、また、前身頃４の下端部５から長袖２の袖口１３まで連続する開閉ファスナー６を設けつつ、しかも下端部５では開けないように閉固定しておくことが、両側の前身頃４において袖口１３から連続する大きく開ける袖孔１４を形成させるように作用する。その袖孔１４は被介護者２０の腕２３の可動範囲をカバーするように作用することで、介護者は容易に被介護者２０の腕２３を袖孔１４に通すことができるのである。
前身頃４の下端部５で開閉ファスナー６が閉固定されることなく開いてしまうと、袖孔１４は形成されないので、左右両側の前身頃４はそれぞれ左右に分離し、腕２３を分離した前身頃４の間にそれぞれ挿入するのは容易とも考えられるが、その際には、再度スライダー７を開閉ファスナー６に嵌め留めた上でスライダー７を袖口１３まで引き上げる必要がある。被介護者２０が動いたり、介護に対して抵抗しているような状況では、そのスライダー７を左右の前身頃４の下端部５でそれぞれ開閉ファスナー６に嵌めるのは介護者にとっては精神的に負担であり、また、時間を要し、作業効率も悪い。
【００２８】
そこで、本願発明では前身頃４の下端部５では開閉ファスナー６を閉固定して開かないようにし、ただ、腕２３も動作範囲は考慮して袖孔１４を形成させ、介護者が楽にストレスなく被介護者２０の腕２３を挿入できるように配慮しているのである。
本願発明の実施の形態における重要な構成は、介護用上着１において完全に開くことができる構成が１つのみ存在し、被介護者２０の腕２３を容易に袖通しできるものの、前身頃４の下端部５では開くことなく、すなわち開閉ファスナー６を前身頃４の下端部５で閉じる作業が不要な構成の組合せである。
この組合せによって、介護用上着１の後身頃の上に被介護者２０を横たわらせた状態で、被介護者２０の腕２３を介護用上着１の袖に容易に通すことが可能であり、介護者による被介護者２０の着替えを容易にして精神的な負担や作業時間の短縮を図り、もって被介護者２０自身の負担も軽減することができるのである。
【００２９】
図６乃至図９では、第１の実施の形態に係る介護用上着１を用いて説明したが、第２の実施の形態に係る介護用ワンピース１５を使用する場合も同様の手順で行うことが可能である。
介護用ワンピース１５では、前述のとおり、前身頃４の下端部５までは開閉ファスナー６が設けられていないが、被介護者２０の腕２３の動作範囲を考慮した袖到達領域１６まで設けられているので、介護用上着１と同等の作用と効果を発揮することが可能である。
さらに、介護用上着１及び介護用ワンピース１５を被介護者２０から脱がすのは図６乃至図９を参照しながら説明した着衣の手順の逆の手順で行うことによれば可能である。その際には、前身頃４の中央部のボタン８を外すタイミングや、開閉ファスナー６を両側の長袖２の袖口１３から開くタイミングも適宜選択することが可能である。
なお、第１及び第２の実施の形態においては、前身頃４の中央部の襟口３から下端部５までボタン８を利用して開閉可能な構成としたが、ボタン８の他、例えばフックや面ファスナーなどを用いて開閉可能な構成としてもよく、襟口３から前身頃４の下端部５まで完全に開くことが可能であれば、その構造や数については限定しない。
【産業上の利用可能性】
【００３０】
以上説明したように、本発明の請求項１乃至請求項４に記載された発明は、障害者をはじめ病院での入院患者用、あるいは高齢者用のパジャマなどにおいて利用が可能であるし、一般家庭においても介護が必要な場合に普段着などとしても利用の可能性がある。
【符号の説明】
【００３１】
１…介護用上着  ２…長袖  ３…襟口  ４…前身頃  ５…下端部  ６…開閉ファスナー  ７…スライダー  ８…ボタン  ９…孔フック  １０…ボタン  １１…孔フック  １２…ボタン  １３…袖口  １４…袖孔  １５…介護用ワンピース  １６…袖到達領域  ２０…被介護者  ２１…マット  ２２…枕  ２３…腕
【図１】
2020007664.tif 000003
【図２】
2020007664.tif 000004
【図３】
2020007664.tif 000005
【図４】
2020007664.tif 000006
【図５】
2020007664.tif 000007
【図６】
2020007664.tif 000008
【図７】
2020007664.tif 000009
【図８】
2020007664.tif 000010
【図９】
2020007664.tif 000011